(57)【要約】【課題】浴室側から居室側に連続的な美しい空間を作り出して広い浴室空間を演出できる浴室構造を提供する。【解決手段】居室２の床面８に対し、浴室１の底面を構成する防水パン３の外周の壁載置面３ｃを同一高さに設定し、防水パン３の居室２側には壁載置面３ｃより一段高い段部３ｅを設け、この段部３ｅに浴室の入口となる入口枠材９を嵌め込んで居室２と浴室１を仕切る堤防Ｔを形成し、居室２の床面８上および防水パン３の壁載置面３ｃ上に立設される壁材１１，１１の底面１１ａ，１１ａを同じ高さにする。【選択図】図１
2009121102.tif 000002
【特許請求の範囲】
【請求項１】
居室の床面に対し、浴室の底面を構成する防水パンの外周の壁載置面を同一高さに設定し、該防水パンの前記居室側には前記壁載置面より一段高い段部を設け、該段部に浴室の入口となる入口枠材を嵌め込んで前記居室と浴室を仕切る堤防を形成するとともに、前記居室の床面上および前記防水パンの壁載置面上に立設される壁材の底面を同一高さとしたことを特徴とする浴室構造。
【請求項２】
壁下地板の内側に防水シートを固定し、該防水シートの内側に空間を形成して仕上げ用の壁材を立設する構造の浴室において、
前記壁下地板の内面に外側へ向かって凹状の切欠き溝を形成し、該切欠き溝内にＬアングルを嵌め込み、該Ｌアングルで前記防水シートを壁下地板に固定したことを特徴とする浴室構造。
【発明の詳細な説明】
【技術分野】
【０００１】
本発明は、居室と連続した空間を演出できる浴室の構造に関するものである。
【背景技術】
【０００２】
従来、特許文献１に開示されているように、ユニットバスの床面と隣接空間の床面が略面一となるように構成し、また、ユニットバスの天井面と隣接空間の天井面が略面一となるように構成して、ユニットバスと隣接空間との一体感を演出できるようにしたユニットバスが存在する。
【特許文献１】特開２００７−１０７２３６号公報
【発明の開示】
【発明が解決しようとする課題】
【０００３】
上記特許文献１に開示されている構造では、ユニットバスの床面と隣接空間の床面を略面一になるようにしたバリアフリー構造に関するものであり、広い浴室空間を良好に演出することはできないものであった。
【課題を解決するための手段】
【０００４】
本発明は、浴室と居室が連続する美しく広い空間を演出できる浴室構造を提供することを目的の１つとし、この目的の少なくとも一部を達成するために以下の手段を採った。
本発明は、居室の床面に対し、浴室の底面を構成する防水パンの外周の壁載置面を同一高さに設定し、該防水パンの前記居室側には前記壁載置面より一段高い段部を設け、該段部に浴室の入口となる入口枠材を嵌め込んで前記居室と浴室を仕切る堤防を形成するとともに、前記居室の床面上および前記防水パンの壁載置面上に立設される壁材の底面を同一高さとしたことを要旨とする。
【発明の効果】
【０００５】
本発明の浴室構造では、居室の床面と浴室の防水パンとの間に一段高い堤防を形成して、居室側への水漏れを防ぐことができるとともに、居室の壁材と浴室の壁材の底面を同じ高さにして、居室と浴室が連続する美しい空間を作り出すことができ、広い浴室空間を演出できるものとなる。
【０００６】
また、本発明は、壁下地板の内側に防水シートを固定し、該防水シートの内側に空間を形成して仕上げ用の壁材を立設する構造の浴室において、前記壁下地板の内面に外側へ向かって凹状の切欠き溝を形成し、該切欠き溝内にＬアングルを嵌め込み、該Ｌアングルで前記防水シートを壁下地板に固定したことを要旨とする。
こうすれば、Ｌアングルで防水シートを良好に固定することができ、また、Ｌアングルは壁下地材の切欠き溝内に嵌め込まれるため、壁下地板と内側の壁材との空間寸法を薄くすることができて、居室側の壁材と浴室側の壁材を平面視略面一状にすることができ、連続的な美しい空間を作り出して広い浴室空間を演出できるものである。
【発明を実施するための最良の形態】
【０００７】
次に、本発明を実施するための最良の形態を実施例を用いて説明する。
図１は、浴室１と居室２の施工状態を示すものである。
浴室１の底面を構成する防水パン３は、図２に要部を拡大して示すような構造となっている。
防水パン３は、その上面に洗い場３ａが形成され、洗い場３ａの側面には、上方へ立ち上げて立上部３ｂが一体形成され、立上部３ｂの上端で外側へ略水平に延びる壁載置面３ｃが一体形成され、壁載置面３ｃの外側で上方へ立ち上げて水切片３ｄが形成されている。また、立上部３ｂと直交する居室２側には、洗い場３ａから立ち上げて段部３ｅが一体形成されており、この段部３ｅの上端は壁載置面３ｃよりも上方位置に設定されている。この防水パン３は、図１のように、直交状に配置された木軸４ａ，４ｂに前記壁載置面３ｃを載せた状態で設置されるものである。
一方、居室２側の床面は、木軸４ａ上に水平に床下地５を設け、この床下地５上にモルタル７を塗布して、その上に複数枚のタイル８，８，８が貼設されて構成されている。なお、居室２側の床面は、フローリングで仕上げても良い。
【０００８】
なお、図３は、浴室１と居室２の床面構造の要部縦断面拡大図である。
この居室２側の床面を構成するタイル８の上面と、前記防水パンの壁載置面３ｃが同一高さとなるように設定して施工されるものである。
前記防水パンの段部３ｅには、入口下枠材９が上方から嵌め込まれて、この入口下枠材９の内側に段部３ｅが隠され、この段部３ｅと入口下枠材９の二重構造による堤防Ｔが形成されて、この堤防Ｔにより、浴室１の洗い場３ａ側から居室２側へ水が漏れないように構成されている。
【０００９】
入口下枠材９は、入口に設けられるドアの外周の枠材の一部であり、この入口下枠材９の端部から立設されている入口縦枠材１０で枠状に入口枠が形成されている。
入口下枠材９は、段部３ｅ上に載る水平片９ａの浴室１側に垂下状に浴室側垂下片９ｂが形成され、また、水平片９ａの居室２側には居室側垂下片９ｃが垂下状に形成されており、この居室側垂下片９ｃは居室２のブチルテープ６上にその下端が当接されるものである。また、浴室側垂下片９ｂの下端は、防水パンの洗い場面３ａ上に当接されて設置されるものである。なお、ブチルテープ６上は押さえ板で上から固定する。
【００１０】
このように段部３ｅと入口下枠材９の二重構造の堤防Ｔを、浴室１と居室２の境部分に形成して、居室２側への水漏れを防ぐことができ、居室２のタイル８の上面と防水パンの壁載置面３ｃを同一高さに設定して、この壁載置面３ｃ上に壁材１１を立設して、浴室１の側壁面を壁材１１で形成することができ、この壁材１１は、鋼板パネル或いは木材或いはタイル下地ボードとタイルで構成されたものである。
【００１１】
この壁材１１の底面１１ａは壁載置面３ｃ上に載るが、居室２側にも浴室１側と同一素材の壁材１１を立設して、居室２の側壁面を壁材１１で形成することができ、この居室２側の壁材１１の底面１１ａは、浴室１に立設された壁材１１の底面１１ａと同一高さに揃えられて、居室２から浴室１側に連続した同一素材の壁材１１，１１による壁面が形成されるものである。
この壁材１１が木材またはタイル下地ボードとタイルの場合、壁材１１の外側には、浴室１側では樹脂胴縁１４，１４が立設されて、壁材１１の裏側に空間Ｓが形成され、その裏側に、建物の柱１２に沿って壁下地板１３が立設される。なお、壁材１１が鋼板パネルの場合は、樹脂胴縁１４を用いずにコーナーフレーム，平面ポスト等で壁材１１を支持すれば良い。
また、居室２側においても、柱１２，１２間に掛け渡し状に壁下地板１３が立設され、この壁下地板１３の内側に空間Ｓを形成して前記壁材１１が施工されるものである。
【００１２】
図４では、この壁下地板１３と壁材１１の部分の要部を拡大して斜視図で示す。また、この部分の平面拡大構成図を図５に示す。
浴室１側の壁下地板１３の入口縦枠材１０に当接される端部には、柱１２側へ凹ませて凹状の切欠き溝１３ａが縦方向に形成されており、この切欠き溝１３ａ内にＬ字状断面のＬアングル１６が嵌め込まれる。
このＬアングル１６は、壁下地板１３の内側に貼着される防水シート１５の端縁とブチルテープ６を固定するためのものであり、ブチルテープ６は、防水シート１５の端縁上から入口縦枠材１０の側面側に回り込んでおり、このブチルテープ６と防水シート１５の端縁部分をＬアングル１６で押さえ付けることができるものである。
【００１３】
即ち、Ｌアングル１６は、切欠き溝１３ａ内の底側に当接して嵌め込まれる押さえ片１６ａと、入口縦枠材１０の側面に当接する押さえ片１６ｂでＬ字状に形成されている。
このＬアングル１６を壁下地板１３にビス等で固定することで、このＬアングル１６で良好にブチルテープ６と防水シート１５の端縁部分を押さえ付けて密着させ、防水構造にすることができるものである。
【００１４】
本例では、Ｌアングル１６は切欠き溝１３ａ内に嵌め込まれるため、Ｌアングル１６の押さえ片１６ｂの内側への突出寸法は短いものとなり、壁下地板１３と壁材１１間の空間Ｓを薄くすることができ、これにより浴室１側の壁材１１の内面を居室２側の壁材１１の内面に合わせて、図５のように、壁材１１，１１を居室２側から浴室１側に連続して面一状に配置することができ、この居室２側および浴室１側の壁材１１，１１の素材や模様等を同一のものにすれば、連続的な美しい空間を作ることができ、居室２側に連続して延びる広い浴室空間を演出することができるものとなる。
【図面の簡単な説明】
【００１５】
【図１】浴室と居室の施工状態図である。
【図２】浴室の底面を構成する防水パンの要部拡大斜視構成図である。
【図３】浴室と居室間に立ち上がる堤防の部分の拡大縦断面構成図である。
【図４】浴室および居室の壁下地板とその内側の壁材の配置状態の要部拡大斜視構成図である。
【図５】図４の平面構成図である。
【符号の説明】
【００１６】
１  浴室
２  居室
３  防水パン
３ａ  洗い場面
３ｂ  立上部
３ｃ  壁載置面
３ｄ  水切片
３ｅ  段部
４ａ，４ｂ  木軸
５  床下地材
６  ブチルテープ
７  モルタル
８  タイル
９  入口下枠材
９ａ  水平片
９ｂ  浴室側垂下片
９ｃ  居室側垂下片
１０  入口縦枠材
１１  壁材
１１ａ  壁材の底面
１２  柱
１３  壁下地板
１３ａ  切欠き溝
１４  樹脂胴縁
１５  防水シート
１６  Ｌアングル
１６ａ，１６ｂ  押さえ片
Ｓ  空間
【図１】
2009121102.tif 000003
【図２】
2009121102.tif 000004
【図３】
2009121102.tif 000005
【図４】
2009121102.tif 000006
【図５】
2009121102.tif 000007